(57)【特許請求の範囲】
【請求項１】
洗濯機用オイルシール取付構造であって、
洗濯機の主軸の主軸ボスに間隔をあけて設置された少なくとも３つのオイルシールを含み、前記オイルシールは、いずれも前記洗濯機の内筒と前記主軸のシール領域（６）に近接する第１の軸受（２）との間に位置され、
前記オイルシールは、前記第１の軸受（２）に近接する第１のオイルシール（３）、前記洗濯機の内筒に設けられた三脚（１）に近接する第３のオイルシール（５）及び前記第１のオイルシール（３）と前記第３のオイルシール（５）との間に位置された第２のオイルシール（４）を含み、
前記第１のオイルシール（３）及び前記第３のオイルシール（５）は、前記主軸のシール領域（６）へ向け、前記第２のオイルシール（４）は、前記主軸のシール領域（６）とは反対側を向け、
前記第２のオイルシール（４）と前記第３のオイルシール（５）は、洗濯水を阻止する排水空間を形成し、前記洗濯水は、前記主軸ボスにおける前記排水空間と連通されている排水孔により排出される、洗濯機用オイルシール取付構造。
【請求項２】
前記第１の軸受（２）に位置された前記第１のオイルシール（３）は、前記第１の軸受（２）と貼り合わせる、請求項１に記載の洗濯機用オイルシール取付構造。
【請求項３】
前記排水空間における残留洗濯水が前記第１のオイルシール（３）及び前記第２のオイルシール（４）から形成された安全チャンバに流入することを阻止するために、前記第２のオイルシール（４）のシールリップは、前記主軸のシール領域（６）とは反対側を向ける、請求項１に記載の洗濯機用オイルシール取付構造。
【請求項４】
前記オイルシールがスケルトンオイルシールである、請求項１又は２に記載の洗濯機用オイルシール取付構造。
【請求項５】
請求項１〜４のいずれか一項に記載の洗濯機用オイルシール取付構造を含む、洗濯機。
【請求項６】
前記洗濯機の主軸と、前記主軸に対向設置された第１の軸受（２）及び第２の軸受（７）を含み、前記第１の軸受（２）と前記第２の軸受（７）との間に前記シール領域（６）が形成されている、請求項５に記載の洗濯機。
【請求項７】
前記主軸にボス（８）が外装され、前記ボス（８）に排水孔が設置され、前記洗濯機用オイルシール取付構造は、前記ボス（８）に間隔をあけて設置された３つのオイルシールを含む、請求項６に記載の洗濯機。
【請求項８】
前記洗濯機の内筒に三脚（１）が設けられ、３つの前記オイルシールは、前記三脚（１）と第１の軸受（２）との間に位置されている、請求項７に記載の洗濯機。
【発明の詳細な説明】
【技術分野】
【０００１】
本願は、洗濯機及び洗濯機部品の分野に関し、例えば洗濯機用オイルシール取付構造及び洗濯機に関する。
【背景技術】
【０００２】
洗濯機は、常用の家電製品である。例えば、商用洗濯機については、作動環境が家庭用洗濯機の作動環境より厳しく、使用頻度も更に多いため、商用洗濯機におけるより高い作動安定性とより長い使用寿命が要求されている。洗濯機の実装中に、オイルシールを洗濯機の主軸と緊密に接触させる必要があり、一旦、主軸の表面がダスト又は雑物等に接触すると、異物が主軸とオイルシールリップとの間で同時に摩擦されてしまい、オイルシールリップが不具合を起こし、最終的に、洗濯水を効果的に分離できず、機械の使用寿命に影響を与える。洗濯機が正常に作動する際に、オイルシールリップも摩耗により不具合を起こし、洗濯水が軸受室内に進入し軸受の不具合を起こし、洗濯機の信頼性を低下させるため、オイルシールの合理的な実装及び使用は特に重要である。
【０００３】
関連技術における洗濯機オイルシール組合せ構造は、１つの平面オイルシールと３つのスケルトンオイルシール（Ｓｋｅｌｅｔｏｎ  ｏｉｌ  ｓｅａｌ）を含む。洗濯機の主軸に平面オイルシールが設けられ、洗濯機の外筒の後板を取り囲むように主軸にシール座が設けられ、軸受ホルダに固定され、シール座に均等な間隔で３つのスケルトンオイルシールが固定され、シール座と、ボス、軸受ホルダ、外筒の後板との間に、対向する両側にそれぞれ油室と排水溝が配置され、且つ油室の給油孔は、軸受ホルダの一方側にあり、排水溝の排水口は、軸受ホルダに対向するもう一方側にある。上記複数のオイルシール及び他の部材から形成された複雑な構造により、防水性能を向上させるという目的を実現する。当該オイルシール構造には以下の欠陥がある。使用環境が厳しい商用洗濯機において、防水、防塵効果は、依然として悪く、長期的に使用すると、洗濯機の安定性を低下させ、使用寿命を短縮させ、構造が複雑すぎ、製造コストが高すぎで、量産化されにくい。
【発明の概要】
【発明が解決しようとする課題】
【０００４】
本願は、防水、防塵効果が良く、構造が簡単で、且つ例えば商用洗濯機の厳しい使用環境を満足させ洗濯機の作動安定性を強化できる洗濯機用オイルシール取付構造、及び使用寿命が更に長く安定性が更に高い洗濯機を提供する。
【課題を解決するための手段】
【０００５】
第１の態様において、本願の実施例は、洗濯機の主軸に間隔をあけて設置された少なくとも３つのオイルシールを含み、前記オイルシールは、いずれも洗濯機の内筒の後部と内筒に近接する第１の軸受との間に位置され、それらの両端に位置されたオイルシールのシールリップは、主軸のシール領域へ向けられ、それらの間に位置された少なくとも１つのオイルシールのシールリップは、前記主軸のシール領域とは反対側を向き洗濯機用オイルシール取付構造を提供する。
【０００６】
本願の１つの選択可能な形態として、前記洗濯機用オイルシール取付構造は、前記第１の軸受に近接する第１のオイルシール、洗濯機の内筒の後部の三脚に近接する第３のオイルシール及びそれらの間に位置された第２のオイルシールを含む。本願の１つの選択可能な形態として、前記第１の軸受に位置された第１のオイルシールは、前記第１の軸受と貼り合わせる。
【０００７】
本願の１つの選択可能な形態として、前記第２のオイルシールと前記第３のオイルシールは、洗濯水を阻止する排水空間を形成し、前記洗濯水は、主軸ボスにおける排水孔により排出される。
【０００８】
本願の１つの選択可能な形態として、前記排水空間における残留洗濯水が前記第１のオイルシール及び前記第２のオイルシールから形成された安全チャンバに流入することを阻止するために、前記第２のオイルシールのシールリップは、前記主軸のシール領域とは反対側を向ける。
【０００９】
本願の１つの選択可能な形態として、前記オイルシールがスケルトンオイルシールである。
【００１０】
第２の態様において、本願の実施例は、上記の洗濯機用オイルシール取付構造を含む洗濯機を提供する。
【００１１】
本願の１つの選択可能な形態として、洗濯機の主軸と、前記主軸に対向設置された第１の軸受及び第２の軸受を含み、前記第１の軸受と第２の軸受との間に前記シール領域が形成されている。
【００１２】
本願の１つの選択可能な形態として、前記主軸にボスが外装され、前記ボスに排水孔が設置され、前記洗濯機用オイルシール取付構造は、前記ボスに間隔をあけて設置された３つのオイルシールを含む。
【００１３】
本願の１つの選択可能な形態として、前記洗濯機の内筒の後部に三脚が設けられ、３つの前記オイルシールは、前記三脚と第１の軸受との間に位置されている。
【００１４】
本願の洗濯機用オイルシール取付構造は、第１の軸受に近接する第１のオイルシール、三脚に近接する第３のオイルシール及びそれらの間に位置された第２のオイルシールを含み、第２のオイルシールと第３のオイルシールは、洗剤水を阻止できる排水空間を形成し、第２のオイルシールのシールリップは主軸のシール領域とは反対側を向く（即ち逆方向に取り付けられる）ことで、第２のオイルシール及び第３のオイルシールから形成された排水空間における残留洗濯水が第１のオイルシール及び第２のオイルシールから形成された安全チャンバに流入することを阻止する。当該オイルシール取付構造は、関連技術におけるオイルシール取付構造と比べて、構造が簡単で、防水、防塵効果が良く、例えば商用洗濯機の厳しい使用環境を満足させ洗濯機の作動安定性を強化できる。
【００１５】
本願の洗濯機は、上記オイルシール取付構造を含み、新型のオイルシール取付構造を採用するため、洗濯機の使用寿命がより長く安定性がより高い。
【図面の簡単な説明】
【００１６】
【図１】本願の実施例３に係る洗濯機の構造模式図
【図２】図１におけるＡ部の部分拡大図
【発明を実施するための形態】
【００１７】
以下、図面を参照しながら、選択可能な実施形態によって本発明の技術案を説明する。矛盾しない場合、実施例及び実施例における特徴は、任意に互いに組み合わせてもよい。
【００１８】
実施例１
本願の実施例は、洗濯機用オイルシール取付構造を開示する。図２に示すように、洗濯機用オイルシール取付構造は、ボス８に間隔をあけて設置された３つのオイルシールを含み、３つのオイルシールは、いずれも三脚１と第１の軸受２との間に位置されている。
【００１９】
オプションとして、３つのオイルシールは、第１の軸受２に近接する第１のオイルシール３、洗濯機の内筒の後部の三脚１に近接する第３のオイルシール５及びそれらの間に位置された第２のオイルシール４である。第１のオイルシール３及び第３のオイルシール５のシールリップは、主軸のシール領域６へ向けられ（即ち正方向に取り付けられる）、第２のオイルシール４のシールリップは、主軸のシール領域６とは反対側を向く（即ち逆方向に取り付けられる）。
【００２０】
第２のオイルシール４と第３のオイルシール５は、洗濯水を阻止できる排水空間を形成し、洗濯水は、主軸ボスにおける排水孔により排出でき、第１のオイルシール３と第２のオイルシール４は、安全チャンバを形成できる。
【００２１】
本実施例において、オイルシールの防水、防塵効果を向上させるために、オプションとして、オイルシールをスケルトンオイルシールとしてもよい。
【００２２】
正常な使用時には、第３のオイルシール５のシールリップとスプリングリングは、外部の洗濯水と雑物がシール領域６に進入することを阻止する。しかし、長時間作動すると、第３のオイルシール５におけるシールリップもスプリングリングも不具合を起こす（例えば、リップが破損したり、又はスプリングが弛んだりする）恐れがある。この際、糸屑等の雑物は、効果的に阻隔される。しかし、洗濯水は、第３のオイルシール５のリップの破損面を通過して第２のオイルシール４及び第３のオイルシール５から形成された排水空間に進入し、排水空間に進入した洗濯水の大部分は、ボス８における排水孔により排出され、非常に少量の水は、第２のオイルシール４に阻止される。洗濯機の使用時間が長くなるにつれて、第２のオイルシール４における油脂の減少とリップゴムの摩耗により、微量の洗濯水は第１のオイルシール３及び第２のオイルシール４から形成された安全チャンバに流入する。第１のオイルシール３による最終的な阻止で、シール領域６に進入しにくいため、より良い防水、防塵効果を実現する。
【００２３】
本実施例において、第２のオイルシール４のシールリップが主軸のシール領域６とは反対側を向く（即ち、逆方向に取り付けられる）ような取付方式は、排水空間における洗濯水を効果的に阻隔できる一方、主軸が回動すると、第２のオイルシール４のキャビティにおける油脂によって、主軸と第２のオイルシール４リップに油膜が形成され、油膜が洗濯水又は不純物に接触しないと、リップの摩耗を効果的に低下させ、軸受シールキャビティの安全性を大幅に向上させる。また、実装プロセスについて、第２のオイルシール４が軸受室と緊密に合わさることが保証できるため、実装が傾斜したり、スプリングが外へ移動したりする等のリスクを回避する。そのため、当該取付方式は、関連技術におけるオイルシール取付構造に存在したいくつかの問題を解决した。
【００２４】
また、第１の軸受２に位置された第１のオイルシール３は、第１の軸受２と貼り合わせる。洗濯機の内筒と主軸を取り付ける際に、軸に一部のダスト又は砂利等の雑物が貼り付けつくことは避けられない。第１のオイルシール３は第１の軸受２と貼り合わせるため、取り付ける際に、原始ダストをシール領域６以外に効果的に阻止でき、出荷合格率をある程度で向上させることで、洗濯機を修理する際の２次的な被害の可能性を低下させる。
【００２５】
実施例２
本願の実施例は、洗濯機用オイルシール取付構造を開示する。当該洗濯機用オイルシール取付構造は、実施例１に記載の構造とほぼ同じである。相違点は以下のとおりである。オイルシールは、スケルトンオイルシールに限らず、オイルシールの基本的な機能を満たせば、実際の使用要求に応じて決めてもよい。オイルシールは、４つ、５つ又は複数から設置されてもよい。両端のオイルシールは正方向に取り付けられ、それらの間に位置された１つのオイルシールは逆方向に取り付けられ、より良い防水、防塵効果を実現すればよい。生産コスト、実装プロセスのある程度の困難を克服できるか否か等の状況に応じて設置すればよい。
【００２６】
実施例３
本実施例は、ドラム式洗濯機を開示する。図１に示すように、当該ドラム式洗濯機は、内筒（図示しない）を含む。内筒の後部に設置された三脚１、内筒と連結された主軸、主軸に外装されたボス８、主軸に対向設置された第１の軸受２及び第２の軸受７、及び実施例１に記載のオイルシール取付構造を含む。
【００２７】
第１の軸受２と第２の軸受７との間にシール領域６が形成され、当該シール領域６に洗濯水が進入できないことを保証する必要がある。一旦進入すると、主軸と軸受に錆が発生し、同時に、他の回転装置を破損する。ボス８に排水孔が設置され、大量の洗濯水がオイルシールに進入すると、当該排水孔により排出できるため、洗濯水の他の部材に対する破損を防止する。
【００２８】
取付方式は以下のとおりである。第１のオイルシール３は第１の軸受２と緊密に貼り合わされ、第２のオイルシール４は第１のオイルシール３と第３のオイルシール５との間に位置され、第３のオイルシール５は三脚１に近接し、即ち、実際に間隔をあけて設置された３つのオイルシールは、いずれも三脚１と第１の軸受２との間に位置され、第１のオイルシール３も第３のオイルシール５も正方向に取り付けられ、第２のオイルシール４は逆方向に取り付けられる。
【００２９】
第２のオイルシール４と第３のオイルシール５は、洗濯水を阻止できる排水空間を形成し、当該排水空間に位置されたボスに排水孔が設けられることで、洗濯水が排水孔により排出されることを保証する。第１のオイルシール３と第２のオイルシール４は、安全チャンバを形成できる。
【００３０】
本実施例において、例えばドラム式商用洗濯機について、作動環境は普通の洗濯機よりも厳しく、使用頻度も高い。頻繁な修理や破損といった問題を回避するために、洗濯機の作動安定性を向上させ、洗濯機の使用寿命を延長する上記オイルシール組合せ構造が必要である。
【００３１】
本実施例において、上記オイルシール組合せが取り付けられるため、関連技術における洗濯機、例えば商用洗濯機の常に修理が必要であることや、使用寿命が短い等の問題を解决する。解決方式は以下のとおりである。使用中、第３のオイルシール５のシールリップとスプリングリングは、外部からの洗濯水と雑物がシール領域６に進入することを阻止する。しかし、長時間作動すると、第３のオイルシール５におけるシールリップもスプリングリングも不具合を起こす可能性恐れがある。この際に、糸屑等の雑物は、効果的に阻隔される。しかし、洗濯水は、第３のオイルシール５のリップの破損面を通過して第２のオイルシール４及び第３のオイルシール５から形成された排水空間に進入し、排水空間に進入した洗濯水の大部分は、ボス８における排水孔により排出され、非常に少量の水は第２のオイルシール４に阻止される。洗濯機の使用時間が長くなるにつれて、第２のオイルシール４における油脂の減少とリップゴムの摩耗により、微量の洗濯水が第１のオイルシール３及び第２のオイルシール４から形成された安全チャンバに流入する。第１のオイルシール３による最終的な阻止で、シール領域６に進入しにくいため、より良い防水、防塵効果を実現する。第２のオイルシール４は以下のように逆方向に取り付けられる。排水空間における洗濯水を効果的に阻隔できる一方、主軸が回動すると、第２のオイルシール４のキャビティにおける油脂は主軸と第２のオイルシール４リップに油膜が形成され、油膜が洗濯水又は不純物に接触しないと、リップの摩耗を効果的に低下させ、軸受シールキャビティの安全性を大幅に向上させる。また、実装プロセスにおいて、第２のオイルシール４が軸受室と緊密に合わせることが保証できるため、実装傾斜、スプリングが外へ移動する等のリスクを回避する。そのため、当該取付方式は、関連技術におけるオイルシール取付構造に存在したいくつかの問題を解决した。
【００３２】
以上、ドラム式洗濯機に関する構造は、一種の選択可能な構造にすぎず、当該オイルシール取付構造は、他のタイプの洗濯機に適用されてもよく、使用要求に応じて決めればよい。
【００３３】
なお、本文において、第１及び第２等のような関係用語は、エンティティ又は操作と、別のエンティティ又は操作とを区別するために過ぎず、必ずしもこれらのエンティティ又は操作の間に、いずれかのこのような実際の関係又は順番が存在することを要求又は教示しているわけではない。更に、「含む」、「包含」という用語又はあらゆる他の変異体は、非排他的な包含をカバーすることを意図しており、一連の要素を含むプロセス、方法、物品又はデバイスは、それらの要素を含むだけでなく、明確に列挙しなかった他の要素、又はこのようなプロセス、方法、物品又はデバイスの固有な要素を更に含む。それ以上の制限がない場合には、「１つの……を含む」という文で定義された要素は、前記要素を含むプロセス、方法、物品又はデバイスにおいて、別の同じ要素が更に存在することを排除しない。
【００３４】
以上は、図面を結びつけた実施例であり、本願を実現する選択可能な形態のみであるが、制限するものではない。本願の選択可能な実施形態に対する如何なる修正又は一部の技術特徴に対する同等置換は、いずれも特許請求の範囲の技術案に含まれるべきである。
【産業上の利用可能性】
【００３５】
本願の実施例は、防水、防塵効果が良く、構造が簡単で、且つ例えば商用洗濯機の厳しい使用環境を満足させ洗濯機の作動安定性を強化できる洗濯機用オイルシール取付構造、及び使用寿命がより長く安定性がより高い洗濯機を提供する。
【符号の説明】
【００３６】
１      三脚
２      第１の軸受
３      第１のオイルシール
４      第２のオイルシール
５      第３のオイルシール
６      シール領域
７      第２の軸受
８      ボス
【図１】
0006712637.tif 000002
【図２】
0006712637.tif 000003